(57)【要約】【課題】  通信ノイズによる誤表示を防止し、時刻を迅速に表示することができる電子時計を提供すること。【解決手段】  時間を計測し計時信号を出力する計時用制御手段４と、計時用制御手段４からの計時信号を記憶部に格納するとともに、前記計時信号に基づいて算出される時刻情報を出力する表示用制御手段３と、表示用制御手段３からの時刻情報に基づいた時刻を表示する表示手段６と、を備えた電子時計であって、表示用制御手段３は、前記記憶部に格納された前回の計時信号と新たに入力した計時信号との差を算出し、この差が所定範囲内である場合に前記時刻情報を更新して出力し、所定範囲外である場合に前記時刻情報を更新しないで出力してなる。【選択図】  図１
2008051703.tif 000002
【特許請求の範囲】
【請求項１】
時間を計測し計時信号を出力する計時用制御手段と、前記計時用制御手段からの計時信号を記憶部に格納するとともに、前記計時信号に基づいて算出される時刻情報を出力する表示用制御手段と、前記表示用制御手段からの時刻情報に基づいた時刻を表示する表示手段と、を備えた電子時計であって、
前記表示用制御手段は、前記記憶部に格納された前回の計時信号と新たに入力した計時信号との差を算出し、この差が所定範囲内である場合に前記時刻情報を更新して出力し、所定範囲外である場合に前記時刻情報を更新しないで出力することを特徴とする電子時計。
【請求項２】
前記表示用制御手段は、前記記憶部に格納された前回の計時信号と新たに入力した計時信号との差を算出し、この差が１秒以内に相当するか否かを判定し、この条件を満たさない場合には、この計時信号に基づいて時刻情報を更新しないことを特徴とする請求項１に記載の電子時計。
【請求項３】
前記表示用制御手段は、前記計時用制御手段からの計時信号がすべてＬＯＷなる信号である場合に、この計時信号と前記記憶部に格納された前回の計時信号との差を算出し、この差が１秒に相当するか否かを判定し、この条件を満たさない場合には、この計時信号に基づいて時刻情報を更新しないことを特徴とする請求項１に記載の電子時計。
【発明の詳細な説明】
【技術分野】
【０００１】
本発明は、電子時計に関し、特に車両に搭載される電子時計に好適である。
【背景技術】
【０００２】
従来、例えば、特許文献１に示すように、電子時計の計時用制御手段として時間をカウントする集積回路が普及しており、種々の電気装置に内蔵されている。
【特許文献１】特開平６−１８６３５８号公報
【発明の開示】
【発明が解決しようとする課題】
【０００３】
これらの電気装置は、電子時計だけでなく他の機器や電子部品などを備えており、特に、車両に搭載される電子時計としては、他の機器の動作や車両外の環境などの影響で、通信ノイズが発生してしまうケースがあり、計時用制御手段からの計時信号が正確なものとならない場合があるため問題となっていた。
【０００４】
また、計時用制御手段からの計時信号が決められた回数、同じデータを受信した場合に、正確な計時信号であると判定する方法もあるが、この場合、正確な計時信号であると判定されるまでに一定の時間を要してしまうため、この時間分常に遅れた表示となってしまう問題があった。
【０００５】
そこで、本発明の目的とするところは、通信ノイズによる誤表示を防止し、時刻を迅速に表示することができる電子時計を提供することにある。
【課題を解決するための手段】
【０００６】
本発明の電子時計は、請求項１に記載したように、時間を計測し計時信号を出力する計時用制御手段と、前記計時用制御手段からの計時信号を記憶部に格納するとともに、前記計時信号に基づいて算出される時刻情報を出力する表示用制御手段と、前記表示用制御手段からの時刻情報に基づいた時刻を表示する表示手段と、を備えた電子時計であって、前記表示用制御手段は、前記記憶部に格納された前回の計時信号と新たに入力した計時信号との差を算出し、この差が所定範囲内である場合に前記時刻情報を更新して出力し、所定範囲外である場合に前記時刻情報を更新しないで出力することを特徴とする電子時計。
【０００７】
また、請求項２に記載したように、請求項１に記載の電子時計において、前記表示用制御手段は、前記記憶部に格納された前回の計時信号と新たに入力した計時信号との差を算出し、この差が１秒以内に相当するか否かを判定し、この条件を満たさない場合には、この計時信号に基づいて時刻情報を更新しないことを特徴とする。
【０００８】
また、請求項３に記載したように、請求項１に記載の電子時計において、前記表示用制御手段は、前記計時用制御手段からの計時信号がすべてＬＯＷなる信号である場合に、この計時信号と前記記憶部に格納された前回の計時信号との差を算出し、この差が１秒に相当するか否かを判定し、この条件を満たさない場合には、この計時信号に基づいて時刻情報を更新しないことを特徴とする。
【発明の効果】
【０００９】
本発明は、電子時計に関して、通信ノイズによる誤表示を防止し、時刻を迅速に表示することができる電子時計を提供できる。
【発明を実施するための最良の形態】
【００１０】
以下、本発明が適用された実施の形態について添付図面を用いて説明する。
【００１１】
図１は、本発明の一実施例であり、車両に搭載される電子時計の電気的構成を示すブロック図である。電子時計は、入力手段１と、イグニションスイッチ２と、表示用制御手段３と、計時用制御手段４と、ドライバ５と、表示手段６とを備えている。
【００１２】
入力手段１は、電子時計の時刻を調整するための操作スイッチであり、操作者の操作に応じた信号を表示用制御手段３に出力する。なお、入力手段１は、操作者が容易に操作可能な位置に設けられ、この場合、車両のインストルメントパネル面に設けられる。
【００１３】
イグニションスイッチ２は、車両のイグニションスイッチであり、オンまたはオフに応じて検出信号を出力するものである。
【００１４】
表示用制御手段３は、マイクロコンピュータを適用することができ、入力手段１やイグニションスイッチ２，計時用制御手段４からの信号を入力し、この信号に応じて表示手段５が作動するように時刻情報を生成し、ドライバ５へ出力するものである。また、表示用制御手段３は、各種信号に基づいて表示用の時刻情報を演算処理するＣＰＵと、このＣＰＵにおける演算処理結果等を一時的に格納する読出し及び書換え可能なＲＡＭや制御プログラムや制御データを格納したＲＯＭから構成される記憶部と、入力手段１やドライバ４などとデータをやり取りするためにバス接続された入出力インターフェイスと、を備えている。
【００１５】
計時用制御手段４は、時間を計測するための集積回路を適用でき、内蔵された振動子を介して生成された基準クロックを計数して時間を求めることができる。また、計時用制御手段４は、求められた時間を、計時信号として表示用制御手段３へ出力することができる。この場合、表示用制御手段３は、５０ｍ秒毎に計時信号を受信している。
【００１６】
ドライバ５は、表示用制御手段３からの時刻情報を受けて、表示手段６を駆動制御するための駆動信号を生成し出力する回路である。なお、ドライバ５は、上述マイクロコンピュータによって構成することもできる。
【００１７】
表示手段６は、液晶表示素子や有機ＥＬ素子などの表示器を適用でき、ドライバ５からの駆動信号に基づく表示を行うものである。この場合、表示手段６は、車両のインストルメントパネル面、あるいは計器など、利用者にとって視認しやすい位置であり、かつ入力手段１を操作しながら視認できる位置に設けられる。なお、表示手段として、フロントガラス面，あるいは専用のコンバイナ面に虚像を投影して表示するヘッドアップディスプレイを適用することもできる。
【００１８】
以上の構成によって、表示用制御手段３は、各種信号に基づく情報を表示手段６に出力させることができる。
【００１９】
次に、図２を用いて、表示用制御手段３の処理手順について説明する。
【００２０】
図２に示すように表示用制御手段３は、計時用制御手段４からの計時信号を新たな計時信号として受信して入力する（ステップＳ１）。次に表示用制御手段３は、この新たな計時信号がすべてＬＯＷなる信号であるか否かを判定処理する（ステップＳ２）。なお、すべてＬＯＷなる信号は、所定の時間（この場合、０時０分０秒）に対応しており、入力した新たな計時信号がこの時間であるか否かを判定するものであってもよい。
【００２１】
また、表示用制御手段３は、ステップＳ２の判定処理において、すべてＬＯＷなる信号であると判定した場合に、ステップＳ１にて入力した新たな計時信号と、記憶部に格納された前回の計時信号とを比較し、これらの差が１秒間に相当するか否かを判定する（ステップＳ３）。
【００２２】
また、表示用制御手段３は、ステップＳ２の判定処理において、ＨＩＧＨなる信号があると判定した場合に、ステップＳ１にて入力した新たな計時信号と、記憶部に格納された前回の計時信号とを比較し、これらの差が所定範囲（０〜１秒間）に相当するか否かを判定する（ステップＳ４）。この処理によって、計時用制御手段４と表示用制御手段３との間において、ノイズなどによって計時信号が著しく変換された場合に正常な計時信号ではないと迅速に判断することができる。また、所定範囲として１秒未満を含むように設定することで、イグニションスイッチ２やその他の機器に連動して表示用制御手段３の処理や表示手段６の表示がオフ状態からオンされる場合には、時刻が１秒切り替わるのを待たずとも迅速に表示開始することが可能となる。
【００２３】
表示用制御手段３は、ステップＳ３あるいはステップＳ４の判定処理において、条件を満たしていると判定した場合に、正常な計時信号が受信されたと判断され、新たな計時信号と、入力手段１を介して予め別途処理によって設定された調整値とに基づいて表示用の情報が算出され、時刻情報として記憶部に格納される（ステップＳ５）。その後、表示用制御手段３は、新たな計時信号を記憶部に格納する（ステップＳ６）。この処理によって、記憶部に格納された新たな計時信号を、以後の処理において、前回の計時信号として用いることができる。
【００２４】
次に、表示用制御手段３は、格納された時刻情報をドライバ５へ出力し、表示手段６が時刻表示するように処理する（ステップＳ７）。したがって、この処理がステップＳ５，Ｓ６の処理を介して行われた場合、新たな受信した計時信号に基づいた時刻を表示手段６に迅速に表示させることができる。
【００２５】
また、表示用制御手段３は、ステップＳ３あるいはステップＳ４の判定処理において、条件を満たしていないと判定した場合に、ノイズなどによって正常ではない計時信号が受信されたと判断され、ステップＳ５の処理を行わずに、ステップＳ６およびステップＳ７の処理を行う。したがって、新たな計時信号については、記憶部に格納するものの表示には用いず、以前に生成された時刻情報を更新せずに出力して表示処理することができる。
【００２６】
上述処理を繰り返すことによって、表示用制御手段３は、計時用制御手段４からの計時信号が正常であるか否かを、前回受信した計時信号と比較することによって迅速に判別できるため、誤表示を防止して迅速に表示を行うことができる。
【００２７】
また、ステップＳ３の判定処理を介して時刻情報を算出することによって、計時用制御手段４と表示用制御手段３との間において、ノイズなどによって複数回の計時信号がすべてＬＯＷなる信号に変換された場合、この計時信号に基づいた表示を行わないため、ノイズによる誤表示を防止することになる。
【００２８】
かかる電子時計は、時間を計測し計時信号を出力する計時用制御手段４と、計時用制御手段４からの計時信号を記憶部に格納するとともに、前記計時信号に基づいて算出される時刻情報を出力する表示用制御手段３と、表示用制御手段３からの時刻情報に基づいた時刻を表示する表示手段６と、を備えた電子時計であって、表示用制御手段３は、前記記憶部に格納された前回の計時信号と新たに入力した計時信号との差を算出し、この差が所定範囲内である場合に前記時刻情報を更新して出力し、所定範囲外である場合に前記時刻情報を更新しないで出力してなる。
【００２９】
したがって、前回の計時信号と新たに入力した計時信号を比較するため、ノイズなどの影響によって著しく変更された計時信号を判別して処理することができるため、誤表示を防止して迅速に時刻表示することができる電子時計となる。
【００３０】
また、表示用制御手段３は、前記記憶部に格納された前回の計時信号と新たに入力した計時信号との差を算出し、この差が１秒以内に相当するか否かを判定し、この条件を満たさない場合には、この計時信号に基づいて時刻情報を更新しないことによって、誤表示を防止して迅速に時刻表示することができる電子時計となる。
【００３１】
また、表示用制御手段３は、計時用制御手段４からの計時信号がすべてＬＯＷなる信号である場合に、この計時信号と前記記憶部に格納された前回の計時信号との差を算出し、この差が１秒に相当するか否かを判定し、この条件を満たさない場合には、この計時信号に基づいて時刻情報を更新しないことによって、表示を防止して迅速に時刻表示することができる電子時計となる。
【図面の簡単な説明】
【００３２】
【図１】本発明の実施の形態の電子時計の構成を示すブロック図。
【図２】同上実施の形態の制御処理を示すフロー図。
【符号の説明】
【００３３】
３  表示用制御手段
４  計時用制御手段
６  表示手段
【図１】
2008051703.tif 000003
【図２】
2008051703.tif 000004